(57)【特許請求の範囲】
【請求項１】
遊技板の前面にガイドレールを取付け、そのガイドレールに囲まれた内側が遊技領域とされ、その遊技領域に遊技部品を取付けたパチンコ機の遊技盤において、
前記遊技板に、外周の側面又は上面から対向面に至る横向き又は縦向きの貫通孔を形成し、その貫通孔に丸軸を挿入し、前記遊技板には、前記横向きの貫通孔に対しては外周上面又は下面から貫通孔の内周前側部又は内周後側部にそれぞれ至る複数の縦向きのねじ孔、前記縦向きの貫通孔に対しては外周側面から貫通孔の内周前側部又は内周後側部にそれぞれ至る複数の横向きのねじ孔を、前記貫通孔の長さ方向に間隔をおいて形成し、各ねじ孔に、ねじ込みによって前記丸軸の反りを矯正する方向に丸軸を押圧する調整ねじをねじ係合したことを特徴とするパチンコ機の遊技盤。
【発明の詳細な説明】
【技術分野】
【０００１】
この発明は、パチンコ機の遊技盤に関するものである。
【背景技術】
【０００２】
一般に、パチンコ機においては、外枠の一側部により中枠の一側部を軸支して開閉可能に支持し、その中枠の前面を覆うガラス枠等の前面枠の一側部を上記中枠で軸支して開閉可能とし、上記中枠に遊技盤を取付けるようにしている。
【０００３】
遊技盤は、遊技板を有し、その遊技板の前面にガイドレールを取付け、そのガイドレールで囲まれた内側の遊技領域に、遊技球の落下方向を分散、調整するための多数の釘や風車、液晶表示器、始動入賞装置、特別可変入賞装置等の各種の遊技部品を取付けている。
【０００４】
ここで、遊技盤における遊技板として、特許文献１に示すように、ポリメチルメタクリレート（ＰＭＭＡ）等のアクリル樹脂からなる樹脂製のものが知られている。この樹脂製の遊技板は、押出し成形された樹脂板を所定の外形形状に切断して、各種の遊技部品を取付ける孔明け加工を行なうようにしている。
【０００５】
上記のような樹脂製の遊技板においては、分子が押出し方向に配向され易いため、その押出し方向と直交する方向に反りが生じ易い。また、加工による歪や、温度、湿度の変化、あるいは、吸湿によって幅方向に反りが生じ易く、その反りが大きい場合、精度の高い釘打ちを行なうことができず、また、釘頭が前面枠に当接したり、あるいは、遊技球が釘間に引っ掛かりが生じる場合がある。
【０００６】
また、遊技盤の遊技板には、ベニヤ合板からなる合板製のものもあり、その合板製の遊技板においても、孔明け加工による加工歪や吸湿等によって反りが生じ、樹脂製の遊技板と同様の問題が発生する可能性がある。
【０００７】
そのような問題を解決するため、特許文献２に記載された遊技盤においては、遊技板の部品取付け孔を除く領域にステンレス板等の強度の高い薄肉厚の板反り防止板を接着等の手段で固着して、遊技板に反りが生じるのを防止するようにしている。
【０００８】
【特許文献１】特開２００６−２５４９５９号公報
【特許文献２】特開平１０−３２３４２３号公報
【発明の開示】
【発明が解決しようとする課題】
【０００９】
ところで、特許文献２に記載された遊技板においては、板反り防止板自身が反らないことを前提とした技術であり、万一、その板反り防止板と共に遊技板に反りが生じると、その反りを矯正することができない。
【００１０】
この発明の課題は、パチンコ機の組立て前の状態および組立て状態のいずれの場合においても、遊技板の反りを矯正することができるようにしたパチンコ機の遊技盤を提供することである。
【課題を解決するための手段】
【００１１】
上記の課題を解決するために、この発明においては、遊技板の前面にガイドレールを取付け、そのガイドレールに囲まれた内側が遊技領域とされ、その遊技領域に遊技部品を取付けたパチンコ機の遊技盤において、前記遊技板に、外周の側面又は上面から対向面に至る横向き又は縦向きの貫通孔を形成し、その貫通孔に丸軸を挿入し、前記遊技板には、前記横向きの貫通孔に対しては外周上面又は下面から貫通孔の内周前側部又は内周後側部にそれぞれ至る複数の縦向きのねじ孔、前記縦向きの貫通孔に対しては外周側面から貫通孔の内周前側部又は内周後側部にそれぞれ至る複数の横向きのねじ孔を、前記貫通孔の長さ方向に間隔をおいて形成し、各ねじ孔に、ねじ込みによって前記丸軸の反りを矯正する方向に丸軸を押圧する調整ねじをねじ係合した構成を採用したのである。
【００１２】
上記の構成からなるパチンコ機の遊技盤において、貫通孔は遊技板の反りを考慮して形成する。例えば、遊技板が合成樹脂の押出し成形品とされ、その押出し方向が上下とされている場合、遊技板は幅方向に反りが生じ易いため、貫通孔は遊技板の外周の一側面から他側面に至る横向きのものとし、ねじ孔は上下方向に延びる縦向きのものとする。この場合、貫通孔は上下方向に間隔をおいて設けておくのが好ましい。
【００１３】
一方、遊技板が合成樹脂の押出し成形品とされ、その押出し方向が左右とされている場合、遊技板は上下方向に反りが生じ易いため、貫通孔は遊技板の上面から下面に至る縦向きのものとし、ねじ孔は左右方向に延びる横向きのものとする。この場合、貫通孔は左右方向に間隔をおいて設けておくのが好ましい。
【００１４】
ここで、貫通孔を横向きとした遊技板において、ねじ孔のそれぞれにねじ込まれた調整ねじをねじ込むと、各調整ねじの先端が丸軸の外周側部を押圧し、丸軸にその長さ方向と直交する方向の押圧力を負荷することができる。その押圧力の大きさは調整ねじのねじ込み量と相関し、ねじ込み量を大きくすることによって、丸軸に大きな押圧力を負荷することができる。
【００１５】
一方、吸湿等によって遊技板に、両側部が幅方向の中央部より前側に配置される反り（以下、前反りという）が生じると、丸軸にも同様の反りが生じて、両端が長さ方向の中央よりも前方に位置する湾曲状態となる。
【００１６】
また、上記とは逆に、遊技板に、幅方向の中央が両側部より前面側に配置される反り（以下、後反りという）が生じると、丸軸にも同様の反りが生じて、両端が長さ方向の中央よりも後方に位置する湾曲状態となる。
【００１７】
ここで、遊技板に前反りが生じた場合において、遊技板の外周において複列に並ぶ調整ねじのうち、遊技板の前面側に配置された前列の両端部の一対の調整ねじと、遊技板の後面側に配置された後列の中央部の調整ねじのそれぞれをねじ込むことにより、丸軸に反りと逆向きの曲げ応力が負荷され、その曲げ応力の負荷により丸軸は直線状に戻り、遊技板の前反りが矯正される。
【００１８】
上記のような前反りの矯正において、前列の複数の調整ねじにおいては、両端部の調整ねじから中央部の調整ねじに至るに従ってねじ込み量が少なくなるようにそれぞれの調整ねじをねじ込むようにし、一方、後列の複数の調整ねじにおいては、中央部の調整ねじから両端部の調整ねじに至るに従ってねじ込み量が少なくなるようにそれぞれの調整ねじをねじ込むようにしてもよい。
【００１９】
上記とは逆に、遊技板に後反りが生じた場合において、遊技板の外周において複列に並ぶ調整ねじのうち、前列の中央部の調整ねじと、後列の両端部の一対の調整ねじのそれぞれをねじ込むことにより、丸軸には反りと逆向きの曲げ応力が負荷される。その曲げ応力の負荷により丸軸は直線状に戻り、遊技板の後反りが矯正される。
【００２０】
上記のような後反りの矯正において、遊技板の前面側に配置された前列の複数の調整ねじにおいては、中央部の調整ねじから両端部の調整ねじに至るに従ってねじ込み量を少なくなるようにそれぞれの調整ねじをねじ込むようにし、一方、遊技板の後面側に配置された後列の複数の調整ねじにおいては、両端部の調整ねじから中央部の調整ねじに至るに従ってねじ込み量を少なくなるようにそれぞれの調整ねじをねじ込むようにしてもよい。
【発明の効果】
【００２１】
上記のように、この発明に係るパチンコ機の遊技盤においては、複数のねじ孔にねじ込まれた調整ねじをねじ込む簡単な操作によって遊技板の反りを矯正することができ、しかも、各調整ねじは遊技板に保持されているため、パチンコ機の組立て前の状態、および、組立て状態のいずれの状態でも遊技板の反りを矯正することができる。
【発明を実施するための最良の形態】
【００２２】
以下、この発明の実施の形態を図面に基づいて説明する。図１乃至図３に示すように、パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００２３】
中枠３の表側には、上皿５を有する前面枠４が設けられている。前面枠４は、その一側部が中枠３に軸支されて開閉自在とされ、閉鎖状態において中枠３の前面を覆うようになっており、その前面枠４の下側に下皿７を有する皿板６が設けられている。ここで、前面枠４は、ガラス板の周囲に縁枠を設けたものであってもよく、あるいは、アクリル樹脂板の周囲に縁枠を設けたものであってもよい。
【００２４】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に取付けられた図４に示す遊技盤１０の遊技領域１１に発射されるようになっている。
【００２５】
遊技盤１０は、遊技板１２を有し、その遊技板１２の前面に取付けられたガイドレール１３の内側が遊技領域１１とされ、その遊技領域１１に、遊技球の落下方向を分散、調整するための多数の釘１４や風車１５、液晶表示器１６、始動入賞装置１７、特別可変入賞装置１８等の遊技部品が設けられ、その遊技部品の取付け孔（図示省略）が遊技板１２に形成されている。
【００２６】
ここで、遊技板１２は、アクリル樹脂等の合成樹脂の押出し成形品からなり、その押出し方向が上下とされている。
【００２７】
図３に示すように、中枠３には遊技盤１０に設けられたガイドレール１３がほぼぴったりと嵌り合う抜き孔２０が形成されている。また、中枠３の背面には、上記抜き孔２０を囲むようにして支持枠２１が設けられ、その支持枠２１の内側が嵌合凹部２２とされ、その嵌合凹部２２に対して遊技盤１０の遊技板１２が着脱自在とされている。嵌合凹部２２に嵌合された遊技板１２は嵌合凹部２２の周囲に設けられた複数の固定レバー２３によって固定されるようになっている。
【００２８】
固定レバー２３は中枠３の後面に突設された支点軸２４を中心にして揺動自在に支持され、上記支点軸２４に支持されたスプリング２５は固定レバー２３を中枠３の背面に向けて付勢している。また、固定レバー２３は、揺動側端部に操作片２６を有し、その操作片２６を操作して、固定レバー２３の揺動側端部が嵌合凹部２２に嵌合された遊技板１２の背面に重なる位置まで固定レバー２３を揺動させることによって遊技板１２を固定し得るようになっている。
【００２９】
図３、図５および図６に示すように、遊技板１２の上部および下部には、遊技板１２の一側面から他側面に貫通する横向きの上部貫通孔３０ａおよび下部貫通孔３０ｂが形成され、各貫通孔３０ａ、３０ｂに金属からなる硬質の丸軸３１が挿入されている。
【００３０】
また、遊技板１２の上部には上面から上部貫通孔３０ａの内周前側部に至る縦向きの複数のねじ孔３２と、上部貫通孔３０ａの内周後側部に至る同じく縦向きの複数のねじ孔３３とが遊技板１２の幅方向に間隔をおいて形成されている。
【００３１】
一方、遊技板１２の下部には下面から下部貫通孔３０ｂの内周前側部に至る縦向きの複数のねじ孔３４と、下部貫通孔３０ｂの内周後側部に至る同じく縦向きの複数のねじ孔３５とが遊技板１２の幅方向に間隔をおいて形成され、各ねじ孔３２乃至３５のそれぞれに円すい部３７を先端に有する調整ねじ３６がねじ係合されている。
【００３２】
ここで、遊技板１２の上面および下面において、遊技板前面側の前列のねじ孔３２、３４と後列のねじ孔３３、３５は遊技板１２の前後で対向する位置に形成されているが、遊技板１２の幅方向に位置をずらして形成してもよい。
【００３３】
実施の形態で示すパチンコ機は上記の構成からなり、図７（Ｉ）は、遊技板１２の両側部が幅方向中央より前側に配置される遊技板１２の前反り状態を示し、その遊技板１２の前反りによって、丸軸３１も遊技板１２と同方向の反りが生じて湾曲状態にある。
【００３４】
上記のような遊技板１２の前反りの矯正に際しては、遊技板１２の上面および下面において複列に並ぶ調整ねじ３６のうち、前列の両端部の一対の調整ねじ３６と、後列の中央部の調整ねじ３６のそれぞれをねじ込むようにする。
【００３５】
前列の両端部の調整ねじ３６をねじ込むと、図７（II）に示すように、先端の円すい部３７が丸軸３１の両端部の外周側部を押圧し、その押圧によって丸軸３１の両端部に遊技板１２の後面に向く方向の応力Ｆ１が負荷される。
【００３６】
また、後列の中央部の調整ねじ３６をねじ込むことにより、図７（III）に示すように、先端の円すい部３７が丸軸３１の長さ方向の中央部の外周側部を押圧し、その押圧によって丸軸３１の中央部に遊技板１２の前面に向く方向の応力Ｆ２が負荷され、その応力Ｆ２と丸軸３１の両端部に負荷される応力Ｆ１は逆向きであるため、丸軸３１には反りと逆向きの曲げ応力が負荷されることになる。このため、丸軸３１は直線状に戻り、遊技板１２の前反りが矯正されることになる。
【００３７】
上記のような前反りの矯正において、前列の複数の調整ねじ３６においては、両端部の調整ねじ３６から中央部の調整ねじ３６に至るに従ってねじ込み量が少なくなるようにそれぞれの調整ねじ３６をねじ込むようにし、一方、後列の複数の調整ねじ３６においては、中央部の調整ねじ３６から両端部の調整ねじ３６に至るに従ってねじ込み量が少なくなるようにそれぞれの調整ねじ３６をねじ込むことによって、丸軸３１を効果的に直線状態に戻すことができる。
【００３８】
上記とは逆に、遊技板１２の両側部が幅方向中央より後側に配置される遊技板１２の後反りの矯正に際しては、遊技板１２の上面および下面において複列に並ぶ調整ねじ３６のうち、前列の中央部の調整ねじ３６と、後列の両端部の一対の調整ねじ３６のそれぞれをねじ込み、それぞれの調整ねじ３６の先端の円すい部３７で丸軸３１を押圧し、その丸軸３１に反りと逆向きの曲げ応力を負荷して、遊技板１２の後反りを矯正する。
【００３９】
上記のような後反りの矯正においても、前列の複数の調整ねじ３６においては、中央部の調整ねじ３６から両端部の調整ねじ３６に至るに従ってねじ込み量が少なくなるようにそれぞれの調整ねじ３６をねじ込むようにし、一方、後列の複数の調整ねじ３６においては、両端部の調整ねじ３６から中央部の調整ねじ３６に至るに従ってねじ込み量が少なくなるようにそれぞれの調整ねじ３６をねじ込むようにするのが好ましい。
【００４０】
このように、調整ねじ３６をねじ込む簡単な操作によって遊技板１２の反りを矯正することができる。また、反り矯正用の調整ねじ３６は遊技板１２に装着された状態にあるため、パチンコ機の組立て前の状態およびパチンコ機の組付て状態のいずれの状態においても反りの矯正を行なうことができる。
【００４１】
なお、パチンコ機の組付け状態での反りの矯正に際しては、中枠３から遊技板１２を一旦取外して行なうようにする。ここで、図３に示すように、中枠３における支持枠２１に各調整ねじ３６に対向してドライバ挿入孔３８を形成しておくと、遊技板１２のセット状態において、その遊技板１２の反りを矯正することができる。
【００４２】
図３、図５および図６に示すように、上部貫通孔３０ａおよび下部貫通孔３０ｂのそれぞれを遊技板１２の略中央部に取付けられる液晶表示器１６の取付け孔を避けるようにして形成しているため、遊技盤１０の製作を阻害するようなことはなく、しかも、遊技板１２の反りを確実に、かつ、効果的に矯正することができる。
【００４３】
なお、図３、図５および図６に示す例においては、遊技板１２を合成樹脂の押出し成形品とし、その押出し方向を上下としているため、その遊技板１２の上部と下部に横向きの貫通孔３０ａ、３０ｂを設けたが、押出し方向が左右とされている場合、遊技板１２は上下方向に反る可能性が極めて高いため、その場合には、遊技板１２の上面から下面に至る縦向きの貫通孔を遊技板１２の左右両側部に形成し、各貫通孔に丸軸３１を挿入し、遊技板１２の側部にはその側面から貫通孔の内周前側部又は内周後側部にそれぞれ至る複数の横向きのねじ孔を貫通孔の長さ方向に間隔をおいて形成し、その丸軸３１の反り矯正用の調整ねじを遊技板１２の側面からねじ孔を介して貫通孔に向けてねじ込むようにする。
【００４４】
図１乃至図７に示す実施の形態では、調整ねじ３６の先端部に形成された円すい部３７によって丸軸３１を長さ方向と交差（直交）する方向に押圧して、丸軸３１の反りを矯正するようにしたが、調整ねじ３６の先端部に半球状部を形成し、その半球状部で丸軸３１を押圧するようにしてもよい。
【００４５】
また、遊技板１２として、合成樹脂からなるものを示したが、合成樹脂に限定されるものではなく、ベニヤ合板からなるものであってもよい。このベニヤ合板からなる遊技板１２においては、反りの方向を特定することができないため、上面から下面に至る縦向きの貫通孔と一側面から他側面に至る横向きの貫通孔を遊技板１２の前後方向に位置をずらして形成し、各貫通孔に丸軸を挿入し、遊技板には、横向きの貫通孔に対しては外周上面又は下面から貫通孔の内周前側部又は内周後側部にそれぞれ至る複数の縦向きのねじ孔、縦向きの貫通孔に対しては外周側面から貫通孔の内周前側部又は内周後側部にそれぞれ至る複数の横向きのねじ孔を、貫通孔の長さ方向に間隔をおいて形成し、調整ねじのねじ孔を介したねじ込みによって各丸軸の反りを矯正できるようにするのが好ましい。
【００４６】
図８および図９は、参考例としての遊技盤１０を示す。この例における遊技盤１０においては、合成樹脂の押出し方向を上下とする遊技板１２の上部および下部に、遊技板１２の一側面から他側面に至る上部貫通孔４０ａおよび下部貫通孔４０ｂを遊技板１２の前面に平行して形成し、各貫通孔４０ａ、４０ｂ内に丸軸４１を挿入し、その丸軸４１の端部に回転用工具の係合部４２を設けている。なお、係合部４２として、ここでは、角孔からなるものを示したが、角軸を設けるようにしてもよい。
【００４７】
上記の構成からなる遊技盤１０において、遊技板１２の反りが生じると、丸軸４１にも同様の反りが生じる。
【００４８】
図９（II）は、遊技板１２が前反りした状態を示す。その反り状態において、丸軸４１を回転させると、丸軸４１の長さ方向の中央部が貫通孔４０ａ、４０ｂの長さ方向中央部を遊技板１２の前面側に向けて押圧し、また、丸軸４１の両端部は貫通孔４０ａ、４０ｂの両端部を遊技板１２の後面側に向けて押圧するため、遊技板１２には反りと逆向きの曲げ応力が負荷されることになり、その曲げ応力の負荷によって遊技板１２の前反りを矯正することができる。
【００４９】
なお、遊技板１２に後反りが生じた場合においても、丸軸４１を回転させると、丸軸４１の長さ方向の中央部が貫通孔４０ａ、４０ｂの長さ方向中央部を遊技板１２の後面側に向けて押圧し、また、丸軸４１の両端部は貫通孔４０ａ、４０ｂの両端部を遊技板１２の前面側に向けて押圧するため、遊技板１２には反りと逆向きの曲げ応力が負荷されることになり、その曲げ応力の負荷によって遊技板１２の後反りを矯正することができる。
【００５０】
図８および図９では、合成樹脂からなる遊技板１２がその押出し方向を上下としているため、その遊技板１２の上下部に貫通孔４０ａ、４０ｂを形成したが、合成樹脂の押出し方向を左右とする遊技板１２の場合は、遊技板１２の左右両側部に上下に貫通する貫通孔を設けて、その貫通孔に丸軸を挿入する。
【００５１】
図８および図９においては、貫通孔４０ａ、４０ｂを丸孔とし、各貫通孔４０ａ、４０ｂに直線状の丸軸４１を挿入したが、図１０に示すように、各貫通孔４０ａ、４０ｂを上下方向に長い長孔とし、各貫通孔４０ａ、４０ｂに長さ方向に湾曲する丸軸４１を挿入して、その長さ方向の中央部と両端部を貫通孔４０a、４０ｂの上面と下面とに弾性接触させて、各丸軸４１を抜止めするようにしてもよい。
【００５２】
図１０に示す参考例としての遊技板１２においては、遊技板１２に前反りが生じた場合、丸軸４１の長さ方向の中央部が貫通孔４０ａ、４０ｂの長さ方向中央部を遊技板１２の前面側に向けて押圧し、また、丸軸４１の両端部は貫通孔４０ａ、４０ｂの両端部を遊技板１２の後面側に向けて押圧する方向に丸軸４１を回転させて遊技板１２の前反りを矯正する。
【００５３】
一方、遊技板１２に後反りが生じた場合に、丸軸４１の長さ方向の中央部が貫通孔４０ａ、４０ｂの長さ方向中央部を遊技板１２の後面側に向けて押圧し、また、丸軸４１の両端部は貫通孔４０ａ、４０ｂの両端部を遊技板１２の前面側に向けて押圧する方向の丸軸４１を回転させて遊技板１２の後反りを矯正する。
【００５４】
なお、図１０では、貫通孔４０ａ、４０ｂを上下方向に長い長孔としたが、各貫通孔４０ａ、４０ｂを湾曲上の丸軸４１に沿う湾曲状としてもよい。
【図面の簡単な説明】
【００５５】
【図１】この発明に係る遊技盤をセットしたパチンコ機の正面図
【図２】図１の背面図
【図３】図１に示す中枠と遊技盤とを示す分解斜視図
【図４】遊技盤の正面図
【図５】遊技板を示す一部切欠正面図
【図６】図５のイ−イ線に沿った断面図
【図７】（Ｉ）は、前反りした遊技板の平面図、（II）は、（Ｉ）のロ−ロ線に沿った断面図、（III）は、（Ｉ）のハ−ハ線に沿った断面図
【図８】参考例としての遊技板を示す一部切欠正面図
【図９】（Ｉ）は、図８のニ−ニ線に沿った断面図、（II）は、遊技板の前反り状態を示す断面図
【図１０】参考例としての遊技板のさらに他の例を示す一部切欠正面図
【符号の説明】
【００５６】
１０    遊技盤
１１    遊技領域
１２    遊技板
１３    ガイドレール
３０ａ  上部貫通孔
３０ｂ  下部貫通孔
３１    丸軸
３２    ねじ孔
３３    ねじ孔
３４    ねじ孔
３５    ねじ孔
３６    調整ねじ
３７    円すい部
４０ａ  上部貫通孔
４０ｂ  下部貫通孔
４１    丸軸
４２    係合部
【図１】
0005109768.tif 000002
【図２】
0005109768.tif 000003
【図３】
0005109768.tif 000004
【図４】
0005109768.tif 000005
【図５】
0005109768.tif 000006
【図６】
0005109768.tif 000007
【図７】
0005109768.tif 000008
【図８】
0005109768.tif 000009
【図９】
0005109768.tif 000010
【図１０】
0005109768.tif 000011